【手続補正書】
【提出日】平成28年8月5日(2016.8.5)
【手続補正１】
【補正対象書類名】明細書
【補正対象項目名】全文
【補正方法】変更
【補正の内容】
【発明の詳細な説明】
【発明の名称】ロータリ圧縮機
【技術分野】
【０００１】
本発明は、Ｒ３２を含む冷媒を用いたロータリ圧縮機に関する。
【背景技術】
【０００２】
空気調和装置、暖房装置、給湯機などの電化製品に広く使用されているヒートポンプ方式の冷凍装置において、冷媒として、従来、ＨＣＦＣ系冷媒が使用されていた。しかし、オゾン層破壊係数が大きいＨＣＦＣ系冷媒がフロン規制の対象となったことから、その代替冷媒として、オゾン層破壊係数ゼロのＨＦＣ系冷媒であるＲ４１０Ａ（Ｒ３２：Ｒ１２５＝５０：５０）冷媒が一般的に用いられている。
【０００３】
この状況下で現在、世界規模で地球温暖化を防止する取り組みが盛んになっている。そして、冷媒メーカ、オイルメーカー及び空調機器メーカは、安全でありながら地球温暖化係数（ＧＷＰ）のさらなる低減と改善を目指して、新冷媒及び新冷媒用オイルの研究・開発を行っている。
【０００４】
このような改善を目指して現在、ＨＦＣ系冷媒の中でもＲ３２冷媒が次期候補として挙げられ、Ｒ３２冷媒を用いた圧縮機が提案されている（例えば、特許文献１参照）。Ｒ３２冷媒は、Ｒ４１０Ａ冷媒よりもＧＷＰが低く、ＣＯＰ（成績係数）も従来冷媒と遜色がない。
【先行技術文献】
【特許文献】
【０００５】
【特許文献１】特開２００１−２９５７６２号公報
【発明の概要】
【発明が解決しようとする課題】
【０００６】
上記Ｒ３２冷媒は低ＧＷＰ値を特長のひとつとする反面、現在使用されているＲ４１０Ａ冷媒に比べて、沸点が低い。このため、冷媒に対するオイル溶解度の低下が発生する。溶解度の低下がおこると圧縮機運転時に、オイルから分離した冷媒を圧縮機摺動部に供給するおそれがあり、ガス噛みなどにより、耐摺動特性の低下を発生させ、圧縮機の信頼性を低下させる恐れがある。
【０００７】
ここで従来のロータリ圧縮機の一例について説明する。図６は特許文献１に示されている従来のロータリ圧縮機の総断面、図７は同従来のロータリ圧縮機の圧縮要素の断面を示すものである。密閉容器１０１には、固定子１０２及び回転子１０３からなる電動要素１０４と、この電動要素１０４によって駆動される圧縮要素１０５が収納されている。オイル１０６は、密閉容器１０１底部に溜っている。図７に示されているようにシャフト１０７は偏心部１０８を有している。
【０００８】
シリンダ１０９は、シャフト１０７の回転中心と同心に圧縮室を形成する。主軸受部１１０と副軸受部１１１は、シリンダ１０９の両側面を気密的に閉塞する。ピストン１１２は、偏心部１０８に装着され、圧縮室の内壁に沿って転動する。ピストン１１２に接して往復動するベーン（図示せず）によって、圧縮室は高圧室と低圧室に仕切られている。吸入管１１３の一端は、シリンダ１０９に圧入され、圧縮室の低圧室に開口し、吸入管１１３の他端は、密閉容器１０１の外でシステム（図示せず）の低圧側に連接している。主軸受部１１０には、吐出バルブ（図示せず）が設けられている。開口部を有する吐出マフラ１１４が、主軸受部１１０に嵌装されている。吐出管１１５の一端は密閉容器１０１内空間に開口し、吐出管１１５の他端は、システム（図示せず）の高圧側に連接している。給油孔１１６は、シャフト１０７の軸方向に穿孔し、給油孔１１６にはオイルハネ１１７を収納している。給油孔１１６は、連通孔１１８によってシャフト１０７の偏心部１０８とピストン１１２によって形成された空間に連通している。
【０００９】
上記構成において、回転子１０３の回転はシャフト１０７に伝わり、偏心部１０８に嵌装されたピストン１１２が圧縮室の中で転動する。そして、ピストン１１２に当接されるベーンにより、圧縮室内が高圧室と低圧室に仕切られることで、吸入管１１３より吸入されたガスは連続して圧縮される。圧縮されたガスは、吐出バルブ（図示せず）から吐出マフラ１１４内に吐出された後、密閉容器１０１内空間に開放され、吐出管１１５から吐出される。
【００１０】
次に、オイル１０６の流れを説明する。シャフト１０７の回転に伴い、給油孔１１６に収納されたオイルハネ１１７はオイル１０６を吸引する。吸引されたオイル１０６は連通孔１１８を経て、偏心部１０８とピストン１１２内周との摺動部に供給される。さらに摺動部を潤滑したオイル１０６は、ピストン１１２内周と軸受端面に囲まれた空間に溜まる。その後、溜められたオイル１０６は、ピストン１１２の端面からシリンダ１０９内に吸入され、圧縮室に供給され、ピストン１１２およびベーン摺動部の潤滑、圧縮室のシールを行う。圧縮機を潤滑するオイル１０６には、システム内に封入された冷媒が溶解しており、その溶解度は温度が上昇するにつれて低下する。
【００１１】
停止状態の圧縮機が運転を開始し、圧縮機構の温度が上昇すると圧縮機構内に吸入されたオイル１０６は加熱され、溶解度が低下するとともに冷媒が気体の状態で析出し、気泡となる。気泡が排出されにくい摺動部や油溝では気泡がつまりオイル１０６が流れなくなり、潤滑不良となって軸受摺動部の焼き付きや磨耗が発生する可能性がある。Ｒ３２冷媒は沸点が低く温度上昇に伴って溶解度も大きく低下するため、気泡の発生量もＲ４１０ａ冷媒に比較して大きく、それに伴う軸受の信頼性低下が大きな課題であった。
【００１２】
本発明の目的は、低沸点の冷媒でも気泡で阻止されること無く潤沢な給油が行なえ、軸受摺動部の焼き付きや摩耗を防止したロータリ圧縮機を提供することにある。
【課題を解決するための手段】
【００１３】
すなわち、本発明は、Ｒ３２を含む冷媒を用い、密閉容器内に、オイルを貯溜すると共に圧縮要素を収容したロータリ圧縮機であって、前記圧縮要素は、偏心部を有するシャフトと、前記シャフトの回転中心と同心に圧縮室を形成するシリンダと、前記シリンダの両側面を気密的に閉塞するとともに、前記シャフトを軸支する軸受と、前記偏心部に装着され、前記シャフトの回転により前記シリンダの内壁に沿って転動するピストンと、前記ピストンの外周部に接して前記圧縮室を高圧室と低圧室に仕切るベーンとを備え、前記軸受の内周面に、一端が前記圧縮室側となる軸受基部に開口するとともに他端が前記密閉容器内空間側となる軸受端部に開口する油溝を設け、前記油溝は、前記軸受端部の開口部が、前記軸受基部の開口部よりも前記シャフトの回転方向側に位置する略螺線形状とし、かつ、前記油溝は、変動荷重を受けて回転した場合の前記偏心部の軸心軌跡とならない位置に設けられているものである。
【００１４】
これにより、シャフトと軸受内周部との隙間にあるオイルは、略螺旋状の油溝によって生じる粘性ポンプ作用により密閉容器内に排出される。従って、シャフトと軸受との間の摺動隙間で発生する気泡は、オイルとともに強制的に密閉容器内に排出されるため、軸受摺動部でのガス噛みによる焼き付きや摩耗を防止できる。
【発明の効果】
【００１５】
本発明のロータリ圧縮機は、シャフトと軸受との間の摺動隙間で発生する気泡を強制的に密閉容器内に排出し、軸受摺動部でのガス噛みによる焼き付きや摩耗を防止できる。よって、沸点が低くオイルに溶け込んだ冷媒がガス化しやすい冷媒を用いていても、優れた信頼性を確保することができる。
【図面の簡単な説明】
【００１６】
【図１】本発明の実施の形態１に係るロータリ圧縮機の縦断面図
【図２】図１のＡ−Ａ断面図
【図３】同ロータリ圧縮機の副（主）軸受部の断面図
【図４】同ロータリ圧縮機のシャフト偏心部の軸心軌跡を示す説明図
【図５】本発明の実施の形態２に係るロータリ圧縮機の縦断面図
【図６】従来のロータリ圧縮機の縦断面図
【図７】従来のロータリ圧縮機の圧縮要素の断面図
【発明を実施するための形態】
【００１７】
第１の発明は、Ｒ３２を含む冷媒を用い、密閉容器内にオイルを貯溜すると共に、圧縮要素を収容したロータリ圧縮機であって、前記圧縮要素は、偏心部を有するシャフトと、前記シャフトの回転中心と同心に圧縮室を形成するシリンダと、前記シリンダの両側面を気密的に閉塞するとともに、前記シャフトを軸支する軸受と、前記偏心部に装着され、前記シャフトの回転により前記シリンダの内壁に沿って転動するピストンと、前記ピストンの外周部に接して前記圧縮室を高圧室と低圧室に仕切るベーンとを備え、前記軸受の内周面に、一端が前記圧縮室側となる軸受基部に開口するとともに他端が前記密閉容器内空間側となる軸受端部に開口する油溝を設け、前記油溝は、前記軸受端部の開口部が、前記軸受基部の開口部よりも前記シャフトの回転方向側に位置する略螺線形状とし、かつ、前記油溝は、変動荷重を受けて回転した場合の前記偏心部の軸心軌跡とならない位置に設けられているものである。
【００１８】
これにより、シャフトと軸受内周部との隙間にあるオイルは、略螺旋状の油溝によって生じる粘性ポンプ作用により密閉容器内に排出される。従って、シャフトと軸受との間の摺動隙間で発生する気泡は、オイルとともに強制的に密閉容器内に排出されるため、軸受摺動部でのガス噛みによる焼き付きや摩耗を防止できる。
【００１９】
また、これにより、オイルから発生したガスを圧縮要素部から密閉容器内へ確実に排出できるので、圧縮要素部の摺動部へのガスの流入を防止することができ、更に信頼性を向上させたロータリ圧縮機を提供することができる。
【００２０】
第２の発明は、第１の発明において、前記軸受は前記シリンダの上面側を閉塞する主軸受と前記シリンダの下面側を閉塞する副軸受とからなり、前記油溝を、前記主軸受及び副軸受の少なくとも一方に設けたものである。
【００２１】
これにより、両軸受の摺動部の少なくとも一方に発生する気泡を強制的に密閉容器内に排出し、軸受摺動部でのガス噛みを確実に防止することができる。
【００２２】
第３の発明は、第２の発明において、前記油溝を、前記主軸受及び前記副軸受の双方に設け、前記副軸受に設けた前記油溝の幅を、前記主軸受に設けた前記油溝の幅より広くしたものである。
【００２３】
これにより、シリンダより下方に位置している副軸受の摺動部で発生する気泡を排出しやすくでき、副軸受でのガス噛みを効率よく抑制することができ、より高い信頼性を確保することができる。すなわち、冷媒ガスはオイルより密度が低く、粘性も低いので冷媒ガスの流れは圧縮要素部からシャフトの中心軸の鉛直上向きに流れるため、主軸受部ではガス噛み等の不具合は発生しにくい。一方、副軸受部はオイル溜りに浸かっているため、圧縮要素部から発生したガスは密閉容器側に流れにくくガス噛みが生じやすい。本構成によれば、ガス噛みが生じやすい副軸受でのガス噛みを抑制してオイルの流れを確保するため、高い信頼性を確保できる。
【００２４】
第４の発明は、第１または第２の発明において、前記油溝を、軸受荷重の作用方向と反対側の軸受面に設けたものである。
【００２５】
これにより、負荷が小さい軸受面の領域に油溝を設けることで、最大負荷を受ける軸受の面積を確保し、ロータリ圧縮機の信頼性を向上させることができる。
【００２６】
第５の発明は、第１から第４の発明において、前記油溝は、前記軸受基部に設けた前記油溝の幅より、前記軸受端部に設けた前記油溝の幅が、広い形状としたものである。
【００２７】
これにより、ガスの流れに対して、オイルの流れが低下する軸受端部の出口側でオイル粘性によるポンプ効果を増幅することができ、更にオイルの流路も確保できるため、オイル流れの低下を抑制でき、より高い信頼性を確保したロータリ圧縮機を提供することができる。
【００２８】
以下、本発明の実施形態について、図面を参照しながら説明する。なお、以下の実施形態によって本発明が限定されるものではない。
【００２９】
図１は本実施形態のロータリ圧縮機の縦断面図、図２は図１のＡ−Ａ面断面図である。
【００３０】
図１、図２に示すロータリ圧縮機はＲ３２もしくは実質的にＲ３２からなる冷媒を用いている。実質的にとは、例えばＲ３２を主体としてこれにＨＦＯ−１２３４ｙｆ或いはＨＦＯ−１２３４ｚｅ等の冷媒を混合した状態を云う。
【００３１】
本実施形態のロータリ圧縮機は、図１に示すように、密閉容器１内に電動要素２と圧縮要素３を収納し密封するとともに、底部のオイル溜り３ａにオイルを貯留している。電動要素２は、固定子４と回転子５からなり、回転子５に連結したシャフト６で圧縮要素３を駆動する。
【００３２】
圧縮要素３は、シリンダ７と、ピストン９と、ベーン１０と、主軸受１４と副軸受１５とから構成されている。シリンダ７は密閉容器１に固定される。ピストン９はシリンダ７内を貫通するシャフト６の偏心部８に自転自在に嵌合される。ベーン１０は、ベーン溝２６に嵌合され、シリンダ７の内壁面に沿って転動するピストン９に追従して、ベーン溝２６を往復動する。主軸受１４と副軸受１５は、シリンダ７の上端面１１と下端面１２を密閉するとともに、シャフト６を支持する。
【００３３】
ベーン１０は、ピストン９の外周面に接して、シリンダ７内の圧縮室１６を高圧室１６ａと低圧室１６ｂに仕切っている。吸入管１７は一端がシリンダ７に圧入され、圧縮室１６の低圧室１６ｂに開口し、他端は密閉容器１の外でシステム（図示せず）の低圧側に接続している。吐出バルブ（図示せず）は高圧室１６ａと連通する吐出孔１８を開閉し、開口部を有する吐出マフラ（図示せず）内に収納されている。吐出管２０は一端が密閉容器１内に開口し、他端は、システム（図示せず）の高圧側に接続している。
【００３４】
以上のように構成されたロータリ圧縮機において以下その動作を説明する。
【００３５】
まず、回転子５の回転はシャフト６に伝わり、シャフト６の回転に伴い、偏心部８に嵌合されたピストン９が圧縮室１６内を転動する。そして、ピストン９に当接されるベーン１０により、圧縮室１６内が高圧室１６ａと低圧室１６ｂに仕切られることで、吸入管１７より吸入されたガスは連続して圧縮される。圧縮されたガスは、吐出孔１８を経て密閉容器１の内部空間に開放され、吐出管２０からシステム（図示せず）に吐出される。
【００３６】
次に、オイルの流れを説明する。図３は本実施の形態における副軸受１５（及び主軸受１４）の断面図である。これら両軸受１５、１４はシャフト６が貫通する孔の内周壁に略螺線形状の油溝２３が設けてあり、両軸受１５、１４の両端は軸受基部２４、軸受端部２５で開口している。
【００３７】
オイルは、密閉容器１底部のオイル溜り３ａに貯留されている。シャフト６の回転に伴い、オイルは、シャフト６の底部に設けられた給油孔１３から吸い込まれ、シャフト６中に設けられたオイルハネ（図示せず）によって遠心ポンプの効果で偏心部８へ供給される。偏心部８に設けられた連通孔１９によって偏心部８とピストン９によって形成された空間へオイルが供給される。オイルは、偏心部８とピストン９のクリアランスやピストン９と各軸受１４、１５とのクリアランスから各摺動部に行き渡り潤滑を行う。また、ピストン９と偏心部８の空間に供給されたオイルは、シャフト６の回転によって起きた流れによる粘性ポンプ作用により、副軸受１５の油溝２３に吸引され、軸受基部２４から軸受端部２５に向け流れが生じ、排出される。オイルは油溝２３を移動する間にシャフト６と副軸受１５のクリアランスに行きわたり、副軸受１５の潤滑を行う。
【００３８】
また主軸受１４も同様に、主軸受１４に設けられた油溝２３により、軸受基部２４から上方に運ばれ、軸受端部２５より排出される。油溝２３をオイルが移動する間にシャフト６と主軸受１４の潤滑も行う。
【００３９】
このように、本実施の形態のロータリ圧縮機では各軸受１４、１５でのオイルの流れが強制的に生じる。そのため、Ｒ３２冷媒のようにオイルに溶け込んだ冷媒がガス化しやすい冷媒環境下においても、ガス化した気泡は強制的に密閉容器１内へと排出され、軸受摺動部でガス噛みが起らず、軸受１４、１５での焼き付きやかじりの発生を防止することができる。
【００４０】
更に、主軸受１４の油溝２３ａの幅より副軸受１５の油溝２３ｂの幅のほうが広い形状としてあるから、以下のような効果も期待できる。
【００４１】
すなわち、冷媒ガスはオイルより密度が低いため、オイル中の冷媒ガスの気泡には浮力によって鉛直上向きの力が働く。また、主軸受１４の油溝２３ａでは圧縮要素３から密閉容器１内へのオイル排出の流れとして、鉛直上向きの流れが発生する。よって、冷媒ガスに働く浮力とオイル排出の流れの方向が一致しているので、主軸受１４の油溝２３ａ内の冷媒ガスの気泡は、圧縮要素３から密閉容器１内へと容易に排出される。
【００４２】
一方、副軸受１５はオイル溜り３ａに浸かっている上にオイル排出の流れが鉛直下向きであり、冷媒ガスの気泡に働く浮力の方向とは逆向きであるため、冷媒ガスの気泡を圧縮要素３から密閉容器１内へと排出することが困難となる。このため、副軸受１５の油溝２３ｂの幅を広くすることによって、粘性ポンプ作用によって供給されるオイル量を充分に確保し、オイルの流れを主軸受１４より多めに確保することで、ガス噛みが生じやすい副軸受１５での高い信頼性を確保できる。
【００４３】
更に、各軸受１４、１５の略螺線形状の油溝２３ａ、２３ｂは、軸受基部２４に設けた油溝２３ａ、２３ｂの幅が、軸受端部２５に設けた油溝２３ａ、２３ｂの幅より狭い。これにより、油溝２３は軸受基部２４から軸受端部２５に亘って順次断面積が拡大していくことになる。これによって、ガスの流れに対し、軸受端部２５へ向け連続的に粘性によるポンプ効果を増幅することができ、更に流路も確保できるため、流路不足による圧損が生じない。このため、より高い信頼性を確保したロータリ圧縮機を提供することができる。
【００４４】
図４は変動荷重を受けて回転した場合の偏心部の軸心軌跡を示したものである。図４の上方が、ベーン１０が装着されている方向を示す。図４から、軸受１４、１５側には負荷のかからない領域（軸心軌跡Ａ以外の部分）が存在するのがわかる。ロータリ圧縮機ではガスを圧縮することで生じる荷重によって、軸受１４、１５中心に対して軸心軌跡Ａで示すようにシャフト６が負荷方向に偏心して回転する。負荷の大きな場所に油溝２３を設けると荷重を受ける軸受１４、１５の面積が低下するため、面圧が極度に大きくなり、軸受１４、１５の焼き付き、かじり等が発生する恐れがある。このため、油溝２３を荷重の小さい位置に設ければ、荷重のかかる部分の軸受面積を充分に確保することができ、良好な潤滑状態が得られる。
【００４５】
（実施の形態２）
図５は実施の形態２のロータリ圧縮機の要部を示す縦断面図である。実施の形態１と同一の機能部材には同じ符号を付して説明を省略する。
【００４６】
本実施の形態のロータリ圧縮機は、シリンダ７を複数、例えば二つ備えたものである。この様な複数のシリンダ７を備えたロータリ圧縮機にも実施の形態１で説明した油溝２３を採用し、同様の効果が得られる。
【００４７】
尚、上記各実施の形態は、オイルの種類によって限定されるものではない。
上記実施の形態においては、Ｒ３２または実質的にＲ３２からなる冷媒を用いた場合について説明したが、Ｒ３２と他の冷媒との混合冷媒であってもよい。例えば、Ｒ３２冷媒と、炭素と炭素間に２重結合を有するハイドロフルオロオレフィン（例えば、１２３４ｙｆ）との混合冷媒であってもよい。またＲ３２を含む混合冷媒は、Ｒ３２以外に2種以上の冷媒を含んでもよい。
【産業上の利用可能性】
【００４８】
本発明は、シャフトと軸受との間の摺動隙間で発生する気泡を強制的に密閉容器内に排出し、軸受摺動部でのガス噛みによる焼き付きや摩耗を防止できる。よって、沸点が低くオイルに溶け込んだ冷媒がガス化しやすい冷媒を用いていても、優れた信頼性を確保することができる。従って、給湯機、温水暖房装置及び空気調和装置などの電気製品に利用できる冷凍サイクル装置の圧縮機に有用である。
【符号の説明】
【００４９】
１  密閉容器
２  電動要素
３  圧縮要素
３ａ  オイル溜り
４  固定子
５  回転子
６  シャフト
７  シリンダ
８  偏心部
９  ピストン
１０  ベーン
１１  上端面
１２  下端面
１３  給油孔
１４  主軸受
１５  副軸受
１６  圧縮室
１７  吸入管
１８  吐出孔
１９  連通孔
２０  吐出管
２３、２３ａ、２３ｂ  油溝
２４  軸受基部
２５  軸受端部
【手続補正２】
【補正対象書類名】特許請求の範囲
【補正対象項目名】全文
【補正方法】変更
【補正の内容】
【特許請求の範囲】
【請求項１】
Ｒ３２を含む冷媒を用い、
密閉容器内に、オイルを貯溜すると共に圧縮要素を収容したロータリ圧縮機であって、
前記圧縮要素は、
偏心部を有するシャフトと、
前記シャフトの回転中心と同心に圧縮室を形成するシリンダと、
前記シリンダの両側面を気密的に閉塞するとともに、前記シャフトを軸支する軸受と、
前記偏心部に装着され、前記シャフトの回転により前記シリンダの内壁に沿って転動するピストンと、
前記ピストンの外周部に接して前記圧縮室を高圧室と低圧室に仕切るベーンと
を備え、
前記軸受の内周面に、
一端が前記圧縮室側となる軸受基部に開口するとともに他端が前記密閉容器内空間側となる軸受端部に開口する油溝を設け、
前記油溝は、前記軸受端部の開口部が、前記軸受基部の開口部よりも前記シャフトの回転方向側に位置する略螺線形状とし、
かつ、前記油溝は、変動荷重を受けて回転した場合の前記偏心部の軸心軌跡とならない位置に設けられている
ことを特徴とするロータリ圧縮機。
【請求項２】
前記軸受は、
前記シリンダの上面側を閉塞する主軸受と、
前記シリンダの下面側を閉塞する副軸受と
からなり、
前記油溝を、前記主軸受及び前記副軸受の少なくとも一方に設けたことを特徴とする請求項１に記載のロータリ圧縮機。
【請求項３】
前記油溝を、前記主軸受及び前記副軸受の双方に設け、
前記副軸受に設けた前記油溝の幅を、前記主軸受に設けた前記油溝の幅より広くした
ことを特徴とする請求項２に記載のロータリ圧縮機。
【請求項４】
前記油溝を、軸受荷重の作用方向と反対側の軸受面に設けた
ことを特徴とする請求項１または請求項２に記載のロータリ圧縮機。
【請求項５】
前記油溝は、前記軸受基部に設けた前記油溝の幅より、前記軸受端部に設けた前記油溝の幅が広い形状とした
ことを特徴とする請求項１から請求項４のいずれか１項に記載のロータリ圧縮機。